(57)【要約】【課題】腰壁の上端に接着した笠木を接着剤が硬化するまでその上方及び両側方から簡易な操作で確実に仮固定できるようにすること。【解決手段】腰壁ｋの上部両面にビスｖで固定するための固定板部１、１と、各固定板部１、１の上端から延長した底板部３、その外端から直立する立板部４及びその上端に配した上板部５からなるコ字形状の一対の保持部材２、２と、腰壁ｋの上端に接着した笠木ｒの側面を保持すべく先端にパッド部６ａを備え、各立板部４、４に貫通螺合した側面保持用ねじ部材６と、笠木ｒの上面を保持すべく先端にパッド部７ａを備え、上板部５、５に貫通螺合した上面保持用ねじ部材７と、上板部５、５上に両端を配して両者を連結する連結板８であって、連結した場合に、上板部５、５に螺合した上面保持用ねじ部材７、７を回避できる回避切欠部８ｂ、８ｄを備えた連結板８とで構成する。【選択図】  図１
0003126868.tif 000002
【実用新案登録請求の範囲】
【請求項１】
当接した腰壁上部両面に、各々それ自体に開口した係合孔を通じてビスをねじ込んで固定するための一対の固定板部と、
該各固定板部の上端から、当接した腰壁から離れる方向で該腰壁に直交する向きに延長した底板部、その外端から立ち上がる立板部及びその上端に該底板部と平行かつ対面状態に延長した上板部からなる、側面から見てコ字形の一対の保持部材と、
前記腰壁の上端に接着した笠木の側面を保持すべく、先端に該笠木の側面に弾力的に当接するパッド部を備えた側面保持用ねじ部材であって、前記各保持部材の立板部に貫通状態に螺合した側面保持用ねじ部材と、
前記笠木の上面を保持すべく、先端に該笠木の上面に弾力的に当接するパッド部を備えた上面保持用ねじ部材であって、前記各保持部材の上板部に貫通状態に螺合した上面保持用ねじ部材と、
該一対の保持部材を相互にコ字形の開口側で対面させた状態で、相互の上板部上に両端部を配して両者を連結する連結板であって、各保持部材の上板部に貫通状態に螺合した上面保持用ねじ部材を通過させる回避切欠部を対応する部位に形成し、かつ該両端部の各々と各保持部材の上板部とをねじ止めによって連結できるように構成した連結板と、
で構成した笠木の仮固定具。
【請求項２】
前記保持部材の上板部と前記連結板の両端部とのねじ止めを、該上板部に形成した雌ねじ部と該連結板の両端部に形成した係止切欠部と、該連結板の上方から該係止切欠部を通じて該雌ねじ部に螺合するための連結雄ねじとで構成した請求項１の笠木の仮固定具。
【請求項３】
前記回避切欠部を前記連結板の側部に開口する矩形のそれに形成した請求項１又は２の笠木の仮固定具。
【請求項４】
前記上板部に前記雌ねじ部を二個以上、設置する腰壁の幅方向に沿って直列に配列した請求項２又は３の笠木の仮固定具。
【請求項５】
前記回避切欠部の連結板に於ける長さ方向の寸法を、前記上板部に設けた二個以上の雌ねじ部の両端間のそれの間隔寸法以上の寸法に設定した請求項４の笠木の仮固定具。
【請求項６】
前記連結板の両側部に、前記回避切欠部と前記係止切欠部とを、それら相互の位置関係は保持しながら、該連結板の長さ方向に於ける位置関係を変えて、配置した請求項４又は５の笠木の仮固定具。
【考案の詳細な説明】
【技術分野】
【０００１】
本考案は、階段の手摺り等の笠木を腰壁の上端に接着剤により取り付ける場合に、接着剤が硬化するまで笠木を腰壁上端に仮固定するための笠木の仮固定具に関する。
【背景技術】
【０００２】
階段の両側部には、通常、転落防止の柵等が構成され、特に木造住宅ではその一側部が腰壁となり、その上端には笠木が配され、手摺りとなっているのが普通である。またこのような部位以外の腰壁でもその上端に笠木が配されることはしばしばある。このような笠木は概ね腰壁の上端に接着剤で固定されるようになっており、接着後、接着剤が硬化するまでは、その自重により、または何らかの事情による振動により、或いは人又は物等と何らかの事情により接触する等により、それが動いてしまい、所定の取付状態を維持し得ない場合があるため、これを一時的に仮固定するための何らかの手段が必要になる。
【０００３】
このような笠木の仮固定のための手段は、従来から適当なそれが提供されておらず、現在、施工現場で手近な棒材等を利用して仮固定することが行われているのが実情である。例えば、対象の笠木上に、汚れや傷等の発生防止用の適当な板材等を配した上で、その板材と天井骨組との間に棒材等を突っ張り状態に配して仮固定することが行われている。このような棒材等を利用した仮固定は通常極めて不安定である。多くの場合は、このような棒材は、必ずしも天井骨組みや笠木に対して垂直方向に配し得ず、斜めになっていることが多いため、一層不安定である。周辺を移動する作業者がこれに軽く接触したり、何らかの事情で周辺に振動が生じたりすると、その棒材は容易に前記天井骨組みと保護用板材との間から外れてしまい、仮固定が破壊されてしまう問題が生じている。
【０００４】
従って笠木は、接着剤が硬化するまで確実に仮固定され得ず、若干の位置ズレが生じる等の問題が生じやすくなっている。
また、前記のような工事現場での手近な棒材等を利用した仮固定では、笠木の横ズレを防止するための仮固定は困難である問題もある。
【０００５】
なおこの種の笠木の仮固定具に関して若干の調査を行ってみたが、以上の実際実施している例以外の該当する先行技術は見いだせなかった。
【考案の開示】
【考案が解決しようとする課題】
【０００６】
本考案は、以上に述べた従来技術の問題点を解決し、腰壁の上端に接着した笠木をその接着用の接着剤が硬化するまでその上方及び両側方から簡易な操作で確実に仮固定を行い、笠木の正確な位置に於ける確実な固定を確保できる笠木の仮固定具を提供することを解決の課題とするものである。
【課題を解決するための手段】
【０００７】
本考案の１は、当接した腰壁上部両面に、各々それ自体に開口した係合孔を通じてビスをねじ込んで固定するための一対の固定板部と、
該各固定板部の上端から、当接した腰壁から離れる方向で該腰壁に直交する向きに延長した底板部、その外端から立ち上がる立板部及びその上端に該底板部と平行かつ対面状態に延長した上板部からなる、側面から見てコ字形の一対の保持部材と、
前記腰壁の上端に接着した笠木の側面を保持すべく、先端に該笠木の側面に弾力的に当接するパッド部を備えた側面保持用ねじ部材であって、前記各保持部材の立板部に貫通状態に螺合した側面保持用ねじ部材と、
前記笠木の上面を保持すべく、先端に該笠木の上面に弾力的に当接するパッド部を備えた上面保持用ねじ部材であって、前記各保持部材の上板部に貫通状態に螺合した上面保持用ねじ部材と、
該一対の保持部材を相互にコ字形の開口側で対面させた状態で、相互の上板部上に両端部を配して両者を連結する連結板であって、各保持部材の上板部に貫通状態に螺合した上面保持用ねじ部材を通過させる回避切欠部を対応する部位に形成し、かつ該両端部の各々と各保持部材の上板部とをねじ止めによって連結できるように構成した連結板と、
で構成した笠木の仮固定具である。
【０００８】
本考案の２は、本考案の１の笠木の仮固定具に於いて、前記保持部材の上板部と前記連結板の両端部とのねじ止めを、該上板部に形成した雌ねじ部と該連結板の両端部に形成した係止切欠部と、該連結板の上方から該係止切欠部を通じて該雌ねじ部に螺合するための連結雄ねじとで構成したものである。
【０００９】
本考案の３は、本考案の１又は２の笠木の仮固定具に於いて、前記回避切欠部を前記連結板の側部に開口する矩形のそれに形成したものである。
【００１０】
本考案の４は、本考案の２又は３の笠木の仮固定具に於いて、前記上板部に前記雌ねじ部を二個以上、設置する腰壁の幅方向に沿って直列に配列したものである。
【００１１】
本考案の５は、本考案の４の笠木の仮固定具に於いて、前記回避切欠部の連結板に於ける長さ方向の寸法を、前記上板部に設けた二個以上の雌ねじ部の両端間のそれの間隔寸法以上の寸法に設定したものである。
【００１２】
本考案の６は、本考案の４又は５の笠木の仮固定具に於いて、前記連結板の両側部に、前記回避切欠部と前記係止切欠部とを、それら相互の位置関係は保持しながら、該連結板の長さ方向に於ける位置関係を変えて、配置したものである。
【考案の効果】
【００１３】
本考案の１の笠木の仮固定具によれば、腰壁の上端に接着した笠木を、接着剤が硬化するまで、その上面側及び側面側から該腰壁上端に仮固定し、該笠木の位置ズレを容易かつ確実に防止することができる。
【００１４】
初めに、前記一対の保持部材の底板部から垂下する固定板部を、各々腰壁の両面上部に接合する。この接合は、両固定板部が相互に対面状態になるように位置を調整しながら行い、次いで各々に開口してある係合孔を通じてビスをねじ込み、該両固定板部を該位置に固定する。更にその上方の両保持部材の上板部上に前記連結板の両端部を載せ、載せた連結板の両端部と両上板部とを相互にねじ止めによって結合する。
【００１５】
その後、前記上面保持用ねじ部材を螺合してある前記上板部を通じて螺旋回転下降させ、その先端のパッド部を笠木の上面に圧接させ、前記一対の側面保持用ねじ部材を螺合してある各前記立板部を通じて螺旋回転進出させ、その各先端のパッド部を笠木の側面に圧接させる。このとき、笠木の両側面に各々圧接するパッド部は、各々対応する側面保持用ねじ部材の螺旋回転進出状態を適切に調整することにより、笠木の両側方向の位置決めが正確に保持されるように、その進出状態が調整されるべきであるのは云うまでもない。
【００１６】
こうして極めて簡単にかつ確実に笠木を腰壁上端上に仮固定することができる。関係者が周辺を移動する際に接触してもその仮固定状態が破壊される虞がなく、上記のように確実な仮固定が実現できる。また接着剤が硬化した後は、それぞれ両固定板部を固定するビスを抜き取り、上面保持用ねじ部材及び側面保持用ねじ部材を緩め、更に前記連結板を両保持部材の上板部から取り外せば、対象の笠木からこれを取り外すことができる。腰壁にはこの後化粧材が配されるので、ビスをねじ込んだことによって生じた穴が問題になることはない。
【００１７】
本考案の２の笠木の仮固定具によれば、両保持部材の上板部と連結板との結合が簡単であり、スピーディな操作ができる利点がある。
【００１８】
本考案の３の笠木の仮固定具によれば、前記連結板が、前記上面保持用ねじ部材を容易に回避しながら、両保持部材の上板部と連結することが可能となる。
【００１９】
本考案の４の笠木の仮固定具によれば、両側の保持部材間の間隔を最小隣接する前記雌ねじ部の間隔で調整することができる。従ってそのような間隔寸法に対応する厚さを持った複数の厚みの腰壁に応じて使用することができる。
【００２０】
本考案の５の笠木の仮固定具によれば、上板部に開口した複数の雌ねじ部を利用して連結板との結合を行った場合に、いずれの場合でも良好に前記上面保持用ねじ部材との干渉を回避することができる。
【００２１】
本考案の６の笠木の仮固定具によれば、連結板の両側部を有効に使用することにより、広い範囲での両保持部材間の間隔の調整に容易に対応することができることになる。
【考案を実施するための最良の形態】
【００２２】
考案を実施するための最良の形態を図面を参照しながら実施例に基づいて説明する。
【００２３】
この実施例の笠木の仮固定具は、図１及び図２に示すように、基本的に、当接する腰壁ｋの上部両面に固定する一対の固定板部１、１と、該各固定板部１の上端に結合した保持部材２であって、該固定板部１からこれと直交方向に延長した底板部３、その外端から立ち上がる立板部４及びその上端に該底板部３と平行に延長した上板部５からなる保持部材２と、前記腰壁ｋの上端に接着した笠木ｒの側面を保持する側面保持用ねじ部材６と、該笠木ｒの上面を保持する上面保持用ねじ部材７と、上記一対の保持部材２、２を相互の上板部５、５上に配して連結する連結板８と、で構成したものである。
【００２４】
前記固定板部１は、図１、図２及び図４(a)〜(c)に示すように、長方形の板材であり、表裏貫通する二つの係合孔１ａ、１ａを横方向に並んだ状態に配してある。この係合孔１ａ、１ａは、該固定板部１、１をそれぞれ腰壁ｋの最上部両面に当接させた際に、これを通じてビスｖをねじ込み、該固定板部１、１を該腰壁ｋに固定するための手段であり、この実施例では、このように二つを開口してあるが、二つに限定されるわけではない。また該固定板部１、１は、この実施例では、長方形であるが、正方形でも不都合ではない。いずれにしても該固定板部１、１は金属の板材で構成したものであり、後述するように、前記保持部材２、２とそれぞれ一体に構成したものである。
【００２５】
前記保持部材２は、前記のように、底板部３と立板部４と上板部５とからなるものであり、図１、図２及び図３(a)〜(c)に示すように、該底板部３は、前記固定板部１の上端から該固定板部１を腰壁ｋに取り付けた場合にこれから離間する方向にかつ直角方向に延長したものである。該底板部３の延長寸法は、以上のように、前記固定板部１で腰壁ｋに取り付けた状態で、その上端に配する笠木ｒの側方への突出寸法を充分に越えた寸法とし、後述するように、前記立板部４との間に前記側面保持用ねじ部材６を締め付け調整するのに不都合が生じない十分な間隔を保持できるようにする。
【００２６】
該立板部４は、図１、図２及び図３(a)〜(c)に示すように、該底板部３の外端からこれに対して直角に立ち上げたものであり、その立ち上げ寸法は、前記のように、前記固定板部１で腰壁ｋに取り付けた状態で、該腰壁ｋの上端に配した笠木ｒの厚さ寸法を充分に越えた寸法とし、後述するように、前記上板部５との間に前記上面保持用ねじ部材７を締め付け調整するのに不都合が生じない十分な間隔を保持できるようにする。また該立板部４には、上記のような腰壁ｋへの取付状態で、前記側面保持用ねじ部材６の後記パッド部６ａが該腰壁ｋの上端に配した笠木ｒの側面に当接し得る高さ位置に、該側面保持用ねじ部材６を螺合するねじ穴４ａを形成しておくものとする。
【００２７】
前記上板部５は、図１、図２及び図３(a)〜(c)に示すように、前記立板部４の上端から前記底板部３と平行かつ対面状態に延長したものであり、該底板部３より若干長さ寸法の長いものとする。また該上板部５には、その先端側中央に、前記上面保持用ねじ部材７を螺合するねじ穴５ａを形成しておき、更に、該ねじ穴５ａと直列に二つの雌ねじ部５ｂ、５ｂを形成しておくものとする。後者の二つの雌ねじ部５ｂ、５ｂは、前記連結板８と該上板部５とを後記連結雄ねじ９を介して連結するためのねじ穴であり、一般的にあり得る複数の厚みの腰壁ｋに対応できるように、対応する間隔で形成したものである。
【００２８】
前記保持部材２は、前記したように、以上の底板部３と立板部４と上板部５とで、側面から見てコ字形に構成したものであり、前記固定板部１と金属板材により一体に構成したものである。
【００２９】
前記側面用ねじ部材６は、図１及び図２に示すように、前記立板部４のねじ穴４ａに螺合するねじ部材本体６ｂと、その先端に配したパッド部６ａと、後端の摘み部６ｃとからなるものである。該パッド部６ａは、先に述べたように、前記腰壁ｋの上端に接着した笠木ｒの側面に弾力的に当接して、これを該位置に固定するための手段であり、合成ゴムで構成した円板状の部材である。
【００３０】
前記上面保持用ねじ部材７は、図１及び図２に示すように、かつ前記側面用ねじ部材６と同様に、前記上板部５のねじ穴５ａに螺合するねじ部材本体７ｂと、その先端に配したパッド部７ａと、後端の摘み部７ｃとからなるものである。該パッド部７ａも、前記側面保持用ねじ部材６のそれと同様に、合成ゴムで構成した円板状の部材であり、前記腰壁ｋの上端に接着した笠木ｒの上面に弾力的に当接して、これを該位置に固定するための手段である。
【００３１】
前記連結板８は、図１、図２及び図３(a)、(b)に示すように、その一側の両端側にスリット状の係止切欠部８ａと該連結板８の長さ方向に長い長方形状の回避切欠部８ｂとの組を形成したものである。各々回避切欠部８ｂが中央側に位置し、両端の係止切欠部８ａと回避切欠部８ｂとの組相互は、該連結板８の長さ方向に直交する中央の線を中心線として対称状態となっている。該係止切欠部８ａは、連結雄ねじ９の頭部の径より狭く、その螺旋部の径より幅広なスリット状であり、前記回避切欠部８ｂは、前記上板部５に開口された前記雌ねじ部５ｂ、５ｂの間隔を余裕を持って越える幅で該係止切欠部８ａと同一の奥行きを持った寸法の長方形状とする。該係止切欠部８ａと該回避切欠部８ｂとの位置関係は、該連結板８の端部を前記上板部５に載置し、その係止切欠部８ａを通じて前記連結雄ねじ９を二つのいずれの雌ねじ部５ｂ、５ｂに螺合した場合でも、該上板部５に形成してある前記上面保持用ねじ部材７用のねじ穴５ａが該回避切欠部８ｂ中に位置するように設定する。
【００３２】
前記連結板８の他側にも、図１、図２及び図３(a)、(b)に示すように、その両端側に、一側側と同様の関係で、同様の寸法形状の係止切欠部８ｃと回避切欠部８ｄとの組を構成する。これらの係止切欠部８ｃと回避切欠部８ｄとの組は、連結板８に於いて、それぞれ前記一側側の係止切欠部８ａと回避切欠部８ｂとの組より若干外端寄りに構成する。一般的にあり得る腰壁ｋの内の厚みの厚いそれに対応する趣旨である。
【００３３】
従ってこの実施例の笠木の仮固定具によれば、図１に示すように、腰壁ｋの上端に接着した笠木ｒを、接着剤が硬化するまでの間、その上面側及び側面側から該腰壁ｋの上端に仮固定し、該笠木ｒの位置ズレを容易かつ確実に防止することができる。
【００３４】
初めに、前記一対の保持部材２、２の底板部３、３から垂下する固定板部１、１を、各々対象の腰壁ｋの両面上部に接合する。この接合は、図１に示すように、両固定板部１、１が相互に対面状態になるように位置を調整しながら行い、次いで各々に開口してある二つの係合孔１ａ、１ａを通じてビスｖ、ｖをねじ込み、該両固定板部１、１を該位置に固定する。
【００３５】
更にその上方の両保持部材２、２の各上板部５、５上に前記連結板８の両端部を載せ、図１及び図２に示すように、その連結板８の一側両端部の係止切欠部８ａ、８ａを各上板部５、５の外端寄りの係合孔５ｂに一致させ、該各係止切欠部８ａ、８ａから該各係合孔５ｂ、５ｂに連結雄ねじ９、９をねじ込み、双方をねじ止め結合する。この例では、係止切欠部８ａ、８ａを各上板部５、５の外端寄りの係合孔５ｂに一致させたが、これは、腰壁ｋの厚みとの関係で、外端寄りの係合孔５ｂに一致させたものであり、腰壁ｋの厚みとの関係で内側寄りの係合孔５ｂに一致させるのが適当な場合もあるのは云うまでもない。
【００３６】
またこの例では、連結板８の一側の係止切欠部８ａを上板部５、５の係合孔５ｂと一致させて結合することとしたが、腰壁ｋの厚みが更に厚い場合は、他側の係止切欠部８ｃと該係合孔５ｂを一致させて結合することもあるのは当然である。
【００３７】
なお、以上のように、一側の係止切欠部８ａ、８ａと上板部５、５の一方の係合孔５ｂとを連結雄ねじ９、９で連結した状態で、上板部５、５の前記上面保持用ねじ部材７を螺合したねじ穴５ａ、５ａは、図１及び図２に示すように、それぞれ回避切欠部８ｂ、８ｂ内に位置し、螺合している上面保持用ねじ部材７との干渉が生じることはない。
【００３８】
この後、図１及び図２に示すように、該上面保持用ねじ部材７、７を、該上板部５のねじ穴５ａ、５ａを通じて螺旋回転下降させ、その先端のパッド部７ａ、７ａを笠木ｒの上面に圧接させ、前記一対の側面保持用ねじ部材６、６を、前記各立板部４、４のねじ穴４ａ、４ａを通じて螺旋回転進出させ、その各先端のパッド部６ａ、６ａを笠木ｒの側面に圧接させる。
【００３９】
このとき、笠木ｒの両側面に各々圧接するパッド部６ａ、６ａは、各々対応する側面保持用ねじ部材６、６の螺旋回転進出状態を適切に調整することにより、笠木ｒの両側方向の位置決めを正確に保持するように、その進出状態を調整するべきであるのは云うまでもない。当然、上面保持用ねじ部材７、７による笠木ｒの上面からの保持も適切な圧力で行われるよう調整すべきであるのは云うまでもない。
【００４０】
こうして極めて簡単にかつ確実に笠木ｒを腰壁ｋの上端上に仮固定することができる。この仮固定時に、直接に笠木ｒに接するのは合成ゴム製のパッド部６ａ、６ａ、７ａ、７ａだけであるので、仮固定中に笠木ｒに傷が発生するような虞もない。またこの仮固定中に関係者が周辺を移動する際にこの笠木の仮固定具に直接又は間接に接触してもその仮固定状態が破壊される虞がなく、上記のように、確実な仮固定が確保できる。
【００４１】
また笠木ｒを腰壁ｋの上端に接着する接着剤が硬化した後は、それぞれ両固定板部１、１を固定するビスｖ、ｖ…を抜き取り、上面保持用ねじ部材７、７及び側面保持用ねじ部材６、６を緩め、更に前記連結板８を両保持部材２、２の上板部５、５から取り外せば、対象の笠木ｒからこれを取り外すことができる。腰壁ｋにはこの後化粧材が配されるので、ビスｖ、ｖ…をねじ込んだことによって生じた穴が問題になることはない。
【図面の簡単な説明】
【００４２】
【図１】実施例の笠木の仮固定具で腰壁上端に接着した笠木を仮固定している状態の正面図。
【図２】実施例の笠木の仮固定具で腰壁上端に接着した笠木を仮固定している状態の平面図。
【図３】(a)は実施例の連結板の平面図、(b)はその正面図。
【図４】(a)は固定板部と一体に構成された実施例の保持部材の側面図、(b)はその正面図、(c)は平面図。
【符号の説明】
【００４３】
１    固定板部
１ａ  係合孔
２    保持部材
３    底板部
４    立板部
４ａ  側面保持用ねじ部材を螺合するねじ穴
５    上板部
５ａ  上面保持用ねじ部材を螺合するねじ穴
５ｂ  雌ねじ部
６    側面保持用ねじ部材
６ａ  側面保持用ねじ部材のパッド部
６ｂ  側面保持用ねじ部材のねじ部材本体
６ｃ  側面保持用ねじ部材の摘み部
７    上面保持用ねじ部材
７ａ  上面保持用ねじ部材のパッド部
７ｂ  上面保持用ねじ部材のねじ部材本体
７ｃ  上面保持用ねじ部材の摘み部
８    連結板
８ａ  一側の係止切欠部
８ｂ  一側の回避切欠部
８ｃ  他側の係止切欠部
８ｄ  他側の回避切欠部
９    連結雄ねじ
ｋ    腰壁
ｒ    笠木
ｖ    ビス
【図１】
0003126868.tif 000003
【図２】
0003126868.tif 000004
【図３】
0003126868.tif 000005
【図４】
0003126868.tif 000006